(57)【要約】  本発明は、玉継手（５）を有する傾斜装置（２）と、カメラ、望遠鏡、双眼鏡、またはこれに類する光学機器を収容するための、前記玉継手に固定可能な保持装置（１００）とを備える三脚ヘッドに関する。保持装置（１００）は、交換プレート（１０１）を有する。
2011501081.tif 000002
【特許請求の範囲】
【請求項１】
玉継手を有する傾斜装置（１００）を備える三脚ヘッドであって、前記玉継手が、軸受ケーシング（３）内に旋回可能に支承された継手球（５）を有しており、該継手球（５）が、軸受ケーシング（３）内の２つの滑り軸受の間に支承されていて、該２つの滑り軸受のうちの一方の滑り軸受（７）が、該滑り軸受（７）を離間させる方向で軸方向に移動可能に軸受ケーシング（３）内に支承されており、前記玉継手が、傾斜装置（１００）の、互いに反対の側の両端部に位置する接続箇所の間に配置されていて、該接続箇所の一方が、カメラ、望遠鏡、双眼鏡、またはこれに類する光学機器、または保持装置に結合されているか、または結合可能であり、前記接続箇所の他方が、少なくとも１つの三脚の脚、またはこれに類する保持部に結合されているか、または結合可能である形式のものにおいて、軸受ケーシング（３）内に、斜面（１２）を有する、隙間において拡張可能な締め付けリング（９）が配置されており、前記斜面（１２）が、長手方向中心面に向かって、継手球（５）の方向に向かって先細りに形成されており、該斜面（１２）が、軸方向に移動可能な滑り軸受（７）の、補完的に形成された対向斜面（１３）と協働することを特徴とする三脚ヘッド。
【請求項２】
締め付けリング（９）が、隙間（１９）のほぼ反対側に、材料弱化部（２０）を有している、請求項１に記載の三脚ヘッド。
【請求項３】
負荷部材（１７）が設けられており、該負荷部材（１７）が、ほぼ円錐形に形成された、締め付けリング（９）の隙間（１９）に係合する端部（１８）を備えていて、該負荷部材（１７）が、軸受ケーシング（３）のねじ山付き孔（１４）内に回転可能に支承されている、請求項１または２に記載の三脚ヘッド。
【請求項４】
カメラ、望遠鏡、双眼鏡、またはこれに類する光学機器を収容するための保持装置（１００）を有する三脚ヘッドであって、保持装置（１００）が、交換プレート（１０１）と、該交換プレート（１０１）を移動可能に支承するための案内レール（１０４）を有するダブテール型案内部を備える、三脚またはこれに類する設置台に取り付けるための基板（１０２）と、該基板（１０２）と相対的に可動の、交換プレート（１０１）を案内レール（１０４）内に固定するための締め付け装置（１０７）とを有しており、締め付け装置（１０７）が、長手方向軸線を中心として回転可能に支承されていて、かつ主に２つの位置を有しており、閉鎖位置では、交換プレート（１０１）が、移動可能に案内部内に収容されており、開放位置では、交換プレート（１０１）が、収容のために解放されている形式のものにおいて、前記ダブテール型案内部の案内レール（１０４）が、基板（１０２）の長手方向の側部に形成されていて、案内レール（１０４）の反対側に位置する長手方向の側部（１０５）に、溝（１０６）が配置されていて、該溝（１０６）内に、円筒形の締め付け装置（１０７）が回転可能に支承されており、締め付け装置（１０７）が、長手方向に向けられたセグメント形の開口部（１０９）を有しており、該開口部（１０９）が、前記ダブテール型案内部の対向案内部を形成しており、締め付け装置（１０７）が、前記光学機器と結合可能な交換プレート（１０１）を載置することによって、開放位置から閉鎖位置に回転可能であることを特徴とする、三脚ヘッド。
【請求項５】
締め付け装置（１０７）が、交換プレート（１０１）を固定するために、長手方向軸線に対して横方向かつ直線状に可動に支承されており、回転可能に支承された、手動で作動するための操作部材（１２３）と、操作部材（１２３）の回転運動を締め付け装置（１０７）の直線運動に伝達するための手段（１２４）とを有している、請求項４に記載の三脚ヘッド。
【請求項６】
締め付け装置（１０７）に、ばねによって負荷された、意図しない回転を阻止する固定装置（１１５）が設けられている、請求項４または５に記載の三脚ヘッド。
【請求項７】
請求項１〜３のいずれか１項に記載の傾斜装置と、請求項４〜６のいずれか１項に記載の保持装置（１００）とを備える、三脚ヘッド。
【発明の詳細な説明】
【技術分野】
【０００１】
本発明は、玉継手を有する傾斜装置を備える三脚ヘッドであって、玉継手が、軸受ケーシング内に旋回可能に支承された継手球を有していて、継手球が、軸受ケーシング内の２つの滑り軸受の間に支承されていて、前記２つの滑り軸受のうちの一方が、滑り軸受を離間させる方向に軸方向に移動可能に軸受ケーシング内に支承されており、玉継手が、三脚ヘッドの互いに反対の側の両端部に位置する接続箇所の間に配置されていて、該接続箇所の一方は、カメラ、望遠鏡、双眼鏡、またはこれに類する光学機器に結合されているか、または結合可能であり、前記接続箇所の他方は、少なくとも１つの三脚の脚、またはこれに類する保持部に結合されている、または結合可能である形式のものに関する。
【０００２】
このような傾斜ユニットは、例えば、ドイツ連邦共和国特許出願公開第１０２００６００１５８０号明細書から公知である。しかし、この場合、軸方向に移動可能な滑り軸受は、円錐形のピンによって、一箇所だけで支持されている。載置面が小さいため、滑り軸受を玉継手に押さえつけることが可能な力も相応して小さい。このため、三脚ヘッド全体の積載能力も全体的に少なくなる。さらに、力が一方から加えられるため傾倒モーメントが生じる。この傾倒モーメントによって、滑り軸受が、軸受ケーシング内で傾き、これによって、軸受ケーシングまたは滑り軸受が破損することもあり得る。
【０００３】
欧州特許出願公開第１４７３５１０号明細書からは、ハウジング内部に継手球が回転可能かつ旋回可能に支承された、円筒形の軸受ケーシングを有する三脚ヘッドが知られている。この公知の三脚ヘッドの軸受ケーシング内には、継手球の円周に隣接した滑り面を有する軸受部材も、軸方向に移動可能かつ回転可能に配置されている。この軸受部材に、支持部が対応配置されている。この支持部は、調節装置と作用結合されており、この場合、軸受部材を、締め付け作用を得るために継手球に向かって移動させることができるようにされる。この調節装置は、調整ねじを介して互いに結合された円弧形の部品を有している。この調整ねじは、円弧形の両部品の領域において、逆方向のねじ山付き区分を有している。これらの円弧形の部品には、互いに平行に延びる斜面が設けられており、これらの斜面は、支持部の、継手球側とは反対の側の端面の、補完的な対向斜面と協働する。
【０００４】
調整ねじによって生じた部品相互の相対運動を、支持部および該支持部上に位置した軸受部材の軸方向の運動に修正し、継手球の方を締め付ける運動に変換するには、これら公知の三脚ヘッドで提案されている斜面および対向斜面によって、高度の摩擦力を克服する必要がある。摩擦力が高いため、高い負荷がかかる継手球をしっかり締め付けるために必要とされる締め付け力が、継手球にほとんどかからない。従って、欧州特許出願公開第１４７３５１０号明細書から公知の三脚ヘッドは、重たいカメラまたはこれに類する光学機器にそれほど適していない。
【０００５】
また、継手球と軸受部材との間の締め付け結合が緩んだ際に、これらの部品を出発位置に移動させる必要がある場合にも、比較的高い摩擦力を克服しなければならないことも欠点である。
【０００６】
ドイツ連邦共和国特許出願公開第２７４７６７７号明細書からは、交換プレートを有する三脚ヘッドが知られている。この交換プレートには、カメラ、望遠鏡、双眼鏡、またはこれに類する光学機器を固定させることが可能である。交換プレートに接して、三脚またはこれに類する設置台に固定可能な基板が配置されている。この基板には、交換プレートを移動可能に支承するための案内レールと、基板に対して相対移動が可能な締め付け装置とを備えるダブテール型案内部が設けられている。この締め付け装置は、交換プレートを案内レールの中に固定するためのものである。締め付け装置は、旋回レバーとして構成されていてよく、取り出しのために交換プレートを解放する開放位置と、交換プレートが移動可能に案内部内に収容される閉鎖位置との間で回転可能である。旋回レバーが開放位置にある場合は、旋回レバーが、基板内の交換プレート用の凹部を解放するが、旋回レバーが閉鎖位置にある場合は、交換プレートが基板を封鎖する。開放位置にあっても、交換プレートがまだ基板に固定されていること、および、交換プレートを基板に固定するには旋回レバーを回さなければならないことによって、この公知の三脚ヘッドは、操作者が１人で操作する場合、特に、操作者が重たい光学機器をドイツ連邦共和国特許出願公開第２７４７６７７号明細書から公知の三脚ヘッドに固定しようとする際には、取り扱いが難しい。
【０００７】
従って、特に重たい光学機器のために、上述の従来技術よりも積載可能量が多い三脚ヘッドを実現するという課題が存在している。
【０００８】
この課題を解決するための本発明の提案は、請求項１の特徴部に記載の構成を特徴とする。
【０００９】
本発明の他の提案は、請求項４に記載の特徴によって規定される。この請求項４に記載された、交換プレートを備える保持装置は、例えば写真または映画を撮る際に、例えば様々なフィルムまたは対物レンズを有する、場合によっては重たく、かつ、扱いにくい種々のカメラを、三脚において簡単に交換可能にするものであり、この際に、ねじを緩めてカメラを三脚ヘッドから取り外すという手間をかける必要はない。
【００１０】
大きくて重たい光学機器には、通常、多数のねじで交換プレートを光学機器および三脚ヘッドに固定する交換システムが設けられていた。ここでは、ダブテール型案内部を有するシステムが知られている。ダブテール型案内部では、交換プレートは案内部の中に押し込まれ、動かないように、固定装置によって固定される。通常、交換プレートは光学機器よりも小さく、上からは見ることができないため、交換プレートを取り付ける際には、案内部を手探りで探すか、または使用者が身をかがめなければならない。こういったことは、重たい光学機器の場合、面倒または不可能である。
【００１１】
従って、本発明の課題は、上述の従来技術よりも積載可能量が多く、特に重たい光学機器を容易に交換可能な三脚ヘッドを実現することにある。
【００１２】
この課題は、本発明によれば、軸受ケーシング内に、隙間において拡張可能な締め付けリングが配置されていることによって解決される。この締め付けリングは、長手方向中心面に向かって、継手球の方向に向かって先細りに形成された斜面を有しており、該斜面は、軸方向に移動可能な滑り軸受の、補完的に形成された対向斜面と協働する。
【００１３】
この締め付けリングが拡張すると、滑り軸受は、斜面において軸方向で継手球に向かって滑り、継手球を、固定された第２の滑り軸受に対して押さえつける。
【００１４】
ここで、締め付けリングは、他方の面では、止め輪または同様の手段によって定位置で固定されるため、別の動きをすることは不可能である。
【００１５】
締め付けリングが、狭い隙間に亘るまで、完全に全円周に亘って滑り軸受と協働するので、軸方向の力は、滑り軸受の円周上に均一に分配される。このため、傾倒モーメントは生じない。従って、傾くことによる、滑り軸受または軸受ケーシングの破損は実際に阻止されている。
【００１６】
また継手球に、極めて大きな押圧力を加えることが可能であり、三脚ヘッドの積載能力は、従来技術よりも大幅に増大する。
【００１７】
上述の課題はまた、長手方向軸線を中心に回転可能に支承された締め付け装置が取り付けられており、該締め付け装置が、主に２つの位置を取ることによっても解決される。第１の位置では、交換プレートが、移動可能に案内部の中で保持され、第２の位置では、交換プレートは、取り出しのために解放されている。
【００１８】
本発明に係る保持装置の締め付け装置は、一方では、案内部の一部材として機能し、交換プレートを長手方向軸線に沿って移動させながら案内し、所望の位置で位置固定することが可能である。この部材は、保持された光学機器を調整するために重要である。
【００１９】
保持装置はまた、開放位置において、交換プレート、ひいては光学機器を長辺側から快適に挿入することを可能にする。従って、交換プレートを、短辺側から案内部の中に取り付ける必要はない。通常、案内部は光学機器に隠れて見えず、手探りで探すしかないため、この固定手段は、特に重たい、および／または、かさばる光学機器の使用時に、極めて大きな負担軽減をもたらすものである。保持装置が水平位置にある時に、容易に、交換プレートを上から保持装置に引っ掛けることができる。これは、重たい装置の場合でも、容易に可能である。
【００２０】
締め付け装置が解除されることは、固定装置によって阻止されるため、交換プレートが意図せずに案内部から外れることは起こりえない。交換プレートが意図せずに案内部から長手方向に押されることも、別の固定装置によって阻止される。
【００２１】
本発明に係る傾斜装置および保持装置によって、全体として、積載能力が高く、特に光学機器を交換する際の操作が簡単な三脚ヘッドが提供される。
【００２２】
本発明の他の有効な特徴は、請求項２以下および請求項５以下に記載の構成および以下に図面を参照しながらより詳細に説明する実施形態より提供される。
【図面の簡単な説明】
【００２３】
【図１】本発明に係る、保持装置および交換プレートを備える三脚ヘッドを示す縦断面図である。
【図２】三脚ヘッドの横断面図である。
【図３】保持装置と、半分程度係合された交換プレートとを示す横断面図である。
【図４】保持装置を示す図である。
【００２４】
図１は、全体を１として示す三脚ヘッドを示している。この三脚ヘッドは、傾斜装置２と、この傾斜装置２に固定された保持装置１００とを有している。保持装置１００は、迅速交換プレート１０１を備えている。
【００２５】
傾斜装置２は、ほぼ円筒形の軸受ケーシング３を有している。この軸受ケーシング３は、中空円筒として形成されている。軸受ケーシング３の上端部４には、図１には図示されていないが、直角に内部に向けられたフランジが配置されている。このフランジは、玉継手のための上側の軸受シェルを形成している。フランジには、同じくこの部分断面図には図示されていない滑り軸受が配置されている。この滑り軸受は、好ましくは球面状の滑り面を有しており、継手球５と協働する。
【００２６】
継手球５は、軸受ケーシング３の軸方向において、ねじ山を備える直線状の突起部６を有している。突起部６には、積載物を固定することができる。継手球５の下方には、軸方向に可動の、別の滑り軸受７が配置されている。この滑り軸受７は、継手球５に適合された、球面状の軸受面８を備えている。滑り軸受７には、締め付けリング９が隣接している。全構成体は、支台１０によって下側が支えられており、これによって、軸受ケーシング３内で保持されている。
【００２７】
締め付けリング９は、軸受ケーシング３の内径よりも小さい円周を有している。さらに、締め付けリング９は、その上縁部に斜面１２を有している。斜面１２は、長手方向中心軸線１１に向かって、継手球５の方向に向かって先細りに形成されており、該斜面１２に対して補完的に形成された、滑り軸受７の下面の対向斜面１３と協働する。
【００２８】
軸受ケーシング３内では、締め付けリング９とほぼ同じ高さに、ねじ山付き孔１４が配置されている。ねじ山付き孔１４の中では、ボルト１５が、軸受ケーシング３の長手方向中心軸線１１に対して横方向に移動することができる。ボルト１５の外側の端部１６には、手動で作動させるためのハンドル車１７が設けられている。内側の端部１８は、ほぼ円錐形に形成されており、締め付けリング９内の軸方向の隙間１９に係合している。ここで、隙間１９は、ボルト１５の円錐形の端部１８と協働していて、この場合、ボルト１５が隙間１９の中に侵入するにつれて、締め付けリング９が拡張するようになっている。締め付けリング９がより容易に拡張するように、締め付けリング９は、隙間１９のほぼ反対側に材料弱化部２０を有している。
【００２９】
締め付けリング９が拡張すると、斜面１２と斜面１３とが協働することによって、下側の滑り軸受７が、軸方向で継手球５の方向に押し出され、これによって高い押し付け圧力が形成される。こうして、継手球５が、上側の滑り軸受に対してより強く押しつけられ、高い摩擦によって固定される。締め付けリング９の広がりが大きいほど、継手球５はよりしっかりと保持される。
【００３０】
締め付けリング９が滑り軸受７の全円周に亘って均一に作用するため、極めて均質的な力の作用が生じる。この締め付け工程では、滑り軸受７にトルクまたは傾倒モーメントが生じることはないため、傾くことによる、軸受ケーシング３または滑り軸受７の破損は実際に起こらない。さらに、滑り軸受７が円周全体に亘って支えられているため、傾斜装置２の積載可能量は、従来技術よりも大幅に高い。
【００３１】
ボルト１５を緩めると、締め付けリング９は、締め付けリング９の柔軟な弾性力によって、再び収縮する。滑り軸受７は、重量に応じて、下方に滑り落ちるため、継手球５は解放されて、動くことが可能である。
【００３２】
ボルト１５は、汚れから保護するために、軸受ケーシング３に一体成形された円筒形のブシュ２１に取り囲まれている。ボルト１５の溝には、Ｏ字型リング２２が嵌め込まれている。Ｏ字型リング２２の反対側は、ブシュ２１の内壁に接触している。ボルト１５の端部にあるハンドル車１７は、軸受ケーシング３の方向に突出した縁部２３を有している。縁部２３は、ブシュ２１を包囲しており、汚れがブシュ２１に侵入することを防いでいる。
【００３３】
図２では、緩んだ状態の締め付けリング９が、材料弱化部２０の領域においてのみ軸受ケーシングの内壁に接触しており、そのため、拡張するために十分な空間があることが分かる。締め付けリング９内の隙間１９は、標準状態では、材料の厚さとほぼ同じくらい広い。本実施形態では、支台１０は、締め付けリング９の下方の、軸受ケーシング内の内部環状溝の中に配置された固定リングによって形成されている。別の２つのブシュ２４，２５が形成されているが、これらは他の機能のために設けられているものであり、本発明の対象ではない。
【００３４】
図１にはさらに、保持装置１００が示されている。保持装置１００は、主に、中央にねじ山付き孔１２７を備える基板１０２を有している。ねじ山付き孔１２７の中には、継手球５のねじ山付き突起部６がねじ込まれる。
【００３５】
基板１０２は、ダブテール型案内部として成形された、交換プレート１０１のための収容部を有している。交換プレート１０１は、光学機器に固定されている。この光学機器は、基板１０２に結合されると望ましい。
【００３６】
ほぼ四角形であるこの基板１０２には、一方の長手方向の側部（Laengsseite）１０３において、ダブテール型案内部の案内レール１０４が形成されている。基板１０２の反対側の長手方向の側部１０５には、ほぼ円筒形の溝１０６が設けられており、この溝１０６の中には、円筒形の締め付け装置１０７が嵌め込まれている。締め付け装置１０７が、長手方向１２８に溝１０６から落ちないように、締め付け装置１０７の両端部には、それぞれ、溝１０６を超えて突き出たカラー１０８が形成されている。締め付け装置１０７は、長手方向１２８に一貫して延びるセグメント形の開口部１０９を有している。開口部１０９は、ダブテール型案内部の対向案内部を形成している。本発明によれば、締め付け装置１０７は、回転可能に溝１０６の中に支承されており、主に２つの位置を取る。
【００３７】
図１に示した閉鎖位置では、嵌め込まれた交換プレート１０１は、案内部において移動可能に保持されている。
【００３８】
交換プレート１０１を取り外す、または上から嵌め込むことが可能な、締め付け装置１０７の第２の開放位置は、図３に示されている。この開放位置では、交換プレート１０１を嵌め込む際に、まず、図示したように、交換プレート１０１の一方の側を、固定した案内レール１０４の中に引っ掛けて、その後、下に降ろす。交換プレート１０１を締め付け装置１０７の上に載せると、締め付け装置１０７は、載置による力（Auflagekraft）によって閉鎖位置に回転する。
【００３９】
係止装置１１０は、ばね１１１と係止球１１２とから構成されている。係止球１１２は、基板１０２内の穴１１３内に、締め付け装置１０７のほぼ中央に配置されていて、締め付け装置１０７の球状の窪み１１４と協働する。締め付け装置１０７の開放位置は、係止装置１１０によって、規定された位置となる。
【００４０】
図１と図３との比較から明らかなように、締め付け装置１０７は、ばね１１１によって締め付け装置１０７の円周部に対して押さえつけられる係止球１１２によって負荷される。締め付け装置１０７の円周上には、好ましくは球状、または他の球の形の窪み１１４が設けられている。締め付け装置１０７のトルクおよび回転が伝達されることによって、係止球１１２がこの窪みの中に進入し、取り外し位置となることが可能である。カメラに取付けられた交換プレート１０１を締め付け装置１０７から持ち上げる際、締め付け装置１０７は、まだ完全に取り出し位置まで回転せず、締め付け装置１０７は、むしろ、窪み１１４の中に移動する係止球１１２がもたらすトルクによって、取り出し位置まで完全に回転する。この取り出し位置では、交換プレート１０１は、隣接する長手方向の縁部に設けられたばねによって、向きを変えることが可能であり、締め付け装置１０７の、補完的に形成された長手方向の溝に強く負荷をかけなくてもよい。
【００４１】
締め付け装置１０７にはまた、固定装置１１５が設けられている。固定装置１１５は、締め付け装置１０７が意図せずに回転すること、およびこの回転によって交換プレート１０１が外れることを回避するものである。また、図４から明らかなように、基板１０２には、縦方向１２８で、締め付け装置１０７の隣に、スプリングピン１１６が配置されている。このスプリングピン１１６は、異なる３つの直径１１７，１１８，１１９を有していて、締め付け装置１０７のカラー１０８には、切込みが配置されている。締め付け装置１０７が閉鎖位置にある場合、この切込みは、スプリングピン１１６の中程度の直径を有する部分１１８に当接して、これにより締め付け装置１０７の回転運動を停止させる。内部にある別のより大きな直径１１７は、長手方向１２８でカラー１０８に当接して、締め付け装置１０７が開放位置および閉鎖位置の両方にある場合に、スプリングピン１１６が穴１２１から外れることを阻止する。固定装置１１５を開くには、スプリングピン１１６を、ばね１２０に抗して内側に押圧する必要がある。これによって、最も小さい直径を有する部分１１９が、カラーの円周と向かい合い、切込みとの係合が解除されて、締め付け装置１０７の回転が可能になる。交換プレート１０１を案内部から持ち上げることによって、締め付け装置１０７は、開放位置に回転する。
【００４２】
ダブテール型案内部において交換プレート１０１が移動することを回避するために、締め付け装置１０７を、付加的に横方向１２２に運動させることも可能である。このため、溝１０６は、基板１０２の横方向１２２において、締め付け装置１０７の直径よりも幾分大きくなっており、締め付け装置１０７の直線的な運動が可能である。
【００４３】
締め付け装置１０７を作動するために、操作部材１２３が設けられている。操作部材１２３は、回転可能に基板１０２に支承されており、締め付け装置１０７と協働する偏心輪１２４を有している。これによって、操作部材１２３の回転運動は、締め付け装置１０７の横方向の運動に変換される。
【００４４】
図４から明らかなように、締め付け装置１０７は、操作部材が接触する領域において、円周状の球面溝１２５を有している。偏心輪１２４の円周上にも、同じく球面溝１２６が設けられている。球面溝１２６は、円周が変化するのに応じた偏心度に対応して深くなっており、締め付け装置１０７内の溝１２５と協働する。この球面溝１２６は、締め付け装置１０７が付加的に回転可能であるため、必要とされるものである。
【００４５】
図示していないが、交換プレート１０１が誤って案内部から外れることは、別の固定ピンによって阻止されている。
【００４６】
回転可能な締め付け装置１０７を備える保持装置１００は、重たい、または、かさばる光学機器を三脚ヘッド１の上に簡単に設置することを可能にする。使用者は身をかがめる必要もないし、または、保持装置１００内の案内部を手探りで探す手間をかける必要もない。また、継手球５の均一な締め付けによって、積載可能量が従来技術よりも多くなるため、本発明に係る球ヘッド２は、重たい機器を確実に収容し、ロックすることが可能である。
【符号の説明】
【００４７】
１      三脚ヘッド
２      傾斜装置
３      軸受ケーシング
４      上端部
５      継手球
６      ねじ山付き突起部
７      滑り軸受
８      軸受面
９      締め付けリング
１０    支台
１１    長手方向中心軸線
１２    斜面
１３    対向斜面
１４    ねじ山付き孔
１５    ボルト１５
１６    外側の端部
１７    ハンドル車／負荷部材
１８    内側の端部
１９    隙間
２０    材料弱化部
２１    ブシュ
２２    Ｏ字型リング
２３    縁部
２４    ブシュ
２５    ブシュ
１００  保持装置
１０１  交換プレート
１０２  基板
１０３  長手方向の側部（固定）
１０４  案内レール（固定）
１０５  長手方向の側部
１０６  溝
１０７  締め付け装置
１０８  カラー
１０９  開口部
１１０  係止装置
１１１  ばね
１１２  球
１１３  穴
１１４  窪み
１１５  固定装置
１１６  スプリングピン
１１７  直径  大
１１８  直径  中
１１９  直径  小
１２０  ばね
１２１  穴
１２２  横方向
１２３  操作部材
１２４  偏心輪
１２５  溝  締め付け装置
１２６  溝  偏心器
１２７  ねじ山付き孔
１２８  長手方向
【図１】
2011501081.tif 000003
【図２】
2011501081.tif 000004
【図３】
2011501081.tif 000005
【図４】
2011501081.tif 000006
【手続補正書】
【提出日】平成21年6月29日(2009.6.29)
【手続補正１】
【補正対象書類名】明細書
【補正対象項目名】０００３
【補正方法】変更
【補正の内容】
【０００３】
欧州特許出願公開第１４７３５１０号明細書からは、ハウジング内部に継手球が回転可能かつ旋回可能に支承された、円筒形の軸受ケーシングを有する三脚ヘッドが知られている。この公知の三脚ヘッドの軸受ケーシング内には、継手球の円周に隣接した滑り面を有する軸受部材も、軸方向に移動可能かつ回転可能に配置されている。この軸受部材に、支持部が対応配置されている。この支持部は、調節装置と作用結合されており、この場合、軸受部材を、締め付け作用を得るために継手球に向かって移動させることができるようにされる。この調節装置は、調整ねじを介して互いに結合された円弧形の部品を有している。この調整ねじは、円弧形の両部品の領域において、逆方向のねじ山付き区分を有している。これらの円弧形の部品には、互いに平行に延びる斜面が設けられており、これらの斜面は、支持部の、継手球側とは反対の側の端面の、補完的な対向斜面と協働する。他にも、仏国特許出願公開第２７９９８０７号明細書および米国特許出願公開第２００７/１４７８２９号明細書から、傾斜装置を備える三脚ヘッドが知られている。
【手続補正２】
【補正対象書類名】明細書
【補正対象項目名】０００４
【補正方法】変更
【補正の内容】
【０００４】
調整ねじによって生じた部品相互の相対運動を、支持部および該支持部上に位置した軸受部材の軸方向の運動に修正し、継手球の方を締め付ける運動に変換するには、欧州特許出願公開第１４７３５１０号明細書に記載されている、公知の三脚ヘッドに設けられた斜面および対向斜面によって、高度の摩擦力を克服する必要がある。摩擦力が高いため、高い負荷がかかる継手球をしっかり締め付けるために必要とされる締め付け力が、継手球にほとんどかからない。従って、欧州特許出願公開第１４７３５１０号明細書から公知の三脚ヘッドは、重たいカメラまたはこれに類する光学機器にそれほど適していない。
【手続補正３】
【補正対象書類名】明細書
【補正対象項目名】０００６
【補正方法】変更
【補正の内容】
【０００６】
ドイツ連邦共和国特許出願公開第２７４７６７７号明細書からは、交換プレートを有する三脚ヘッドが知られている。この交換プレートには、カメラ、望遠鏡、双眼鏡、またはこれに類する光学機器を固定させることが可能である。交換プレートに接して、三脚またはこれに類する設置台に固定可能な基板が配置されている。この基板には、交換プレートを移動可能に支承するための案内レールと、基板に対して相対移動が可能な締め付け装置とを備えるダブテール型案内部が設けられている。この締め付け装置は、交換プレートを案内レールの中に固定するためのものである。締め付け装置は、旋回レバーとして構成されていてよく、取り出しのために交換プレートを解放する開放位置と、交換プレートが移動可能に案内部内に収容される閉鎖位置との間で回転可能である。旋回レバーが開放位置にある場合は、旋回レバーが、基板内の交換プレート用の凹部を解放するが、旋回レバーが閉鎖位置にある場合は、交換プレートが基板を封鎖する。開放位置にあっても、交換プレートがまだ基板に固定されていること、および、交換プレートを基板に固定するには旋回レバーを回さなければならないことによって、この公知の三脚ヘッドは、操作者が１人で操作する場合、特に、操作者が重たい光学機器をドイツ連邦共和国特許出願公開第２７４７６７７号明細書から公知の三脚ヘッドに固定しようとする際には、取り扱いが難しい。また、米国特許第３６１２４６２号明細書および欧州特許出願公開第１３６５１８７号明細書からは、三脚ヘッド用の交換プレートが知られている。この交換プレートには固定装置が設けられているが、この固定装置は、負荷をかけて締め付け装置を傾けると、自然に再び開いてしまう恐れがあるため、この三脚ヘッドは、光学機器を三脚において素早く交換することにはそれほど適していない。
【手続補正４】
【補正対象書類名】明細書
【補正対象項目名】０００７
【補正方法】変更
【補正の内容】
【０００７】
従って、上述の従来技術よりも、特に重たい光学機器のために積載可能量が多く、該当する光学機器を簡単かつ確実に配置し、該機器を三脚において素早く交換することが可能な、三脚ヘッドを実現するという課題が存在している。
【手続補正５】
【補正対象書類名】特許請求の範囲
【補正対象項目名】全文
【補正方法】変更
【補正の内容】
【特許請求の範囲】
【請求項１】
玉継手を有する傾斜装置（１００）を備える三脚ヘッドであって、前記玉継手が、軸受ケーシング（３）内に旋回可能に支承された継手球（５）を有しており、該継手球（５）が、軸受ケーシング（３）内の２つの滑り軸受の間に支承されていて、該２つの滑り軸受のうちの一方の滑り軸受（７）が、該滑り軸受（７）を離間させる方向で軸方向に移動可能に軸受ケーシング（３）内に支承されており、前記玉継手が、傾斜装置（１００）の、互いに反対の側の両端部に位置する接続箇所の間に配置されていて、該接続箇所の一方が、カメラ、望遠鏡、双眼鏡、またはこれに類する光学機器、または保持装置に結合されているか、または結合可能であり、前記接続箇所の他方が、少なくとも１つの三脚の脚、またはこれに類する保持部に結合されているか、または結合可能である形式のものにおいて、軸受ケーシング（３）内に、斜面（１２）を有する、隙間において拡張可能な締め付けリング（９）が配置されており、前記斜面（１２）が、長手方向中心面に向かって、継手球（５）の方向に向かって先細りに形成されており、該斜面（１２）が、軸方向に移動可能な滑り軸受（７）の、補完的に形成された対向斜面（１３）と協働することを特徴とする三脚ヘッド。
【請求項２】
締め付けリング（９）が、隙間（１９）のほぼ反対側に、材料弱化部（２０）を有している、請求項１に記載の三脚ヘッド。
【請求項３】
負荷部材（１７）が設けられており、該負荷部材（１７）が、ほぼ円錐形に形成された、締め付けリング（９）の隙間（１９）に係合する端部（１８）を備えていて、該負荷部材（１７）が、軸受ケーシング（３）のねじ山付き孔（１４）内に回転可能に支承されている、請求項１または２に記載の三脚ヘッド。
【請求項４】
カメラ、望遠鏡、双眼鏡、またはこれに類する光学機器を収容するための保持装置（１００）を有する三脚ヘッドであって、保持装置（１００）が、交換プレート（１０１）と、該交換プレート（１０１）を移動可能に支承するための案内レール（１０４）を有するダブテール型案内部を備える、三脚またはこれに類する設置台に取り付けるための基板（１０２）と、該基板（１０２）と相対的に可動の、交換プレート（１０１）を案内レール（１０４）内に固定するための締め付け装置（１０７）とを有しており、前記ダブテール型案内の案内レール（１０４）が、基板（１０２）の長手方向の側部に形成されており、締め付け装置（１０７）が、主に２つの位置を有しており、該２つの位置のうちの閉鎖位置では、交換プレート（１０１）が移動可能に案内部内に収容されていて、開放位置では、交換プレート（１０１）が、収容のために解放されており、締め付け装置（１０７）が、前記光学機器と結合可能な交換プレート（１０１）を載置することによって、前記開放位置から前記閉鎖位置へ移行可能である形式のものにおいて、案内レール（１０４）の反対の側に位置する長手方向の側部（１０５）に、溝（１０６）が配置されていて、該溝（１０６）内に、円筒形の締め付け装置（１０７）が、長手方向軸線を中心として回転可能に支承されており、該締め付け装置（１０７）が、長手方向に向けられたセグメント形の開口部（１０９）を有しており、該開口部（１０９）が、前記ダブテール型案内部の対向案内部を形成しており、該締め付け装置（１０７）に、ばねによって負荷された、意図しない回転を阻止する固定装置（１１５）が設けられていることを特徴とする三脚ヘッド。
【請求項５】
締め付け装置（１０７）が、交換プレート（１０１）を固定するために、長手方向軸線に対して横方向かつ直線状に可動に支承されており、回転可能に支承された、手動で作動するための操作部材（１２３）と、操作部材（１２３）の回転運動を締め付け装置（１０７）の直線運動に伝達するための手段（１２４）とを有している、請求項４に記載の三脚ヘッド。
【請求項６】
請求項１〜３のいずれか１項に記載の傾斜装置と、請求項４〜６のいずれか１項に記載の保持装置（１００）とを備える、三脚ヘッド。
【国際調査報告】
2011501081.tif 000007
2011501081.tif 000008
2011501081.tif 000009
2011501081.tif 000010
2011501081.tif 000011
2011501081.tif 000012
2011501081.tif 000013
2011501081.tif 000014
2011501081.tif 000015
2011501081.tif 000016